(57)【特許請求の範囲】
【請求項１】
第１動画撮影モード、又は前記第１動画撮影モードとは撮影条件が異なる第２動画撮影モードに基づいて撮影された動画を取得する動画取得部と、
前記動画取得部で取得した動画を構成するフレームの画像データの量子化パラメータを決定し、前記画像データを圧縮する圧縮処理部と、
を備える画像処理装置であって、
前記圧縮処理部は、前記第１動画撮影モードの場合、第１範囲内で前記量子化パラメータを決定し、前記第２動画撮影モードの場合、第２範囲内で前記量子化パラメータを決定し、前記第２範囲の第２上限値は前記第１範囲の第１上限値よりも小さく、前記第２範囲の第２下限値は前記第１範囲の第１下限値よりも大きい画像処理装置。
【請求項２】
前記第２範囲は、フレームレートの設定値に応じて設定される、請求項１に記載の画像処理装置。
【請求項３】
前記第２範囲は、外部からの指示を入力する指示入力部からの入力に応じて設定される、請求項１又は２に記載の画像処理装置。
【請求項４】
前記動画取得部で取得した動画のシーンを判別するシーン判別部を備え、
前記第２範囲は、前記シーン判別部により判別されたシーンに応じて設定される請求項１から３のいずれか１項に記載の画像処理装置。
【請求項５】
前記圧縮処理部は、ＭＰＥＧ符号化方式により前記動画を圧縮する請求項１から４のいずれか１項に記載の画像処理装置。
【請求項６】
前記圧縮処理部は、前記動画の過去のフレームの画像データの量子化後の発生符号量に応じて量子化パラメータを決定する請求項１から５のいずれか１項に記載の画像処理装置。
【請求項７】
前記第２動画撮影モードは、前記第１動画撮影モードに対してシャッタスピード、オートフォーカスの速度、自動露出の追従速度、ホワイトバランスの追従速度及びフレームレートの少なくとも１つが高速に設定される請求項１から６のいずれか１項に記載の画像処理装置。
【請求項８】
請求項１から７のいずれか１項に記載の画像処理装置と、
前記第１動画撮影モード、又は前記第２動画撮影モードに基づいて動画を撮影する動画撮影部と、を備え、
前記動画取得部は、前記動画撮影部により撮影された前記動画を取得する撮影装置。
【請求項９】
第１動画撮影モード、又は前記第１動画撮影モードとは撮影条件が異なる第２動画撮影モードに基づいて撮影された動画を取得する動画取得ステップと、
前記動画取得ステップで取得した動画を構成するフレームの画像データの量子化パラメータを決定し、前記画像データを圧縮する圧縮処理ステップと、
を含む画像処理方法であって、
前記圧縮処理ステップは、前記第１動画撮影モードの場合、第１範囲内で前記量子化パラメータを決定し、前記第２動画撮影モードの場合、第２範囲内で前記量子化パラメータを決定し、前記第２範囲の第２上限値は前記第１範囲の第１上限値よりも小さく、前記第２範囲の第２下限値は前記第１範囲の第１下限値よりも大きい画像処理方法。
【請求項１０】
前記第２範囲は、フレームレートの設定値に応じて設定される、請求項９に記載の画像処理方法。
【請求項１１】
前記第２範囲は、外部からの指示を入力する指示入力部からの入力に応じて設定される、請求項９又は１０に記載の画像処理方法。
【請求項１２】
前記動画取得ステップで取得した動画のシーンを判別するステップを含み、
前記第２範囲は、前記判別されたシーンに応じて設定される請求項９から１１のいずれか１項に記載の画像処理方法。
【請求項１３】
前記圧縮処理ステップは、ＭＰＥＧ符号化方式により前記動画を圧縮する請求項９から１２のいずれか１項に記載の画像処理方法。
【請求項１４】
前記圧縮処理ステップは、前記動画の過去のフレームの画像データの量子化後の発生符号量に応じて量子化パラメータを決定する請求項９から１３のいずれか１項に記載の画像処理方法。
【請求項１５】
前記第２動画撮影モードは、前記第１動画撮影モードに対してシャッタスピード、オートフォーカスの速度、自動露出の追従速度、ホワイトバランスの追従速度及びフレームレートの少なくとも１つが高速に設定される請求項９から１４のいずれか１項に記載の画像処理方法。
【請求項１６】
第１動画撮影モード、又は前記第１動画撮影モードとは撮影条件が異なる第２動画撮影モードに基づいて撮影された動画を取得する動画取得機能と、
前記動画取得機能で取得した動画を構成するフレームの画像データの量子化パラメータを決定し、前記画像データを圧縮する圧縮処理機能と、
をコンピュータに実現させる画像処理プログラムであって、
前記圧縮処理機能は、前記第１動画撮影モードの場合、第１範囲内で前記量子化パラメータを決定し、前記第２動画撮影モードの場合、第２範囲内で前記量子化パラメータを決定し、前記第２範囲の第２上限値は前記第１範囲の第１上限値よりも小さく、前記第２範囲の第２下限値は前記第１範囲の第１下限値よりも大きい画像処理プログラム。
【発明の詳細な説明】
【技術分野】
【０００１】
本発明は画像処理装置、撮影装置、画像処理方法及び画像処理プログラムに係り、特に動画の圧縮技術に関する。
【背景技術】
【０００２】
近年、被写体の一瞬のシーンを捉えるために、静止画抽出用の動画を撮影する動画撮影モードを有する撮影装置が提案されている（特許文献１）。
【０００３】
特許文献１に記載の静止画抽出用の動画は、例えば、通常の動画と比べて１フレームの露光時間が短く設定されたものである。
【０００４】
ところで、動画のデータ量は膨大であるため、動画を記録する場合には、例えば、ＭＰＥＧ（Moving Picture Experts Group）符号化方式等により動画を圧縮して記録している。
【０００５】
動画を圧縮する場合、動画の圧縮率を高くすると、画質が低下し、一方、圧縮率を低くすると、ビットレート（単位時間当たりに転送又は処理するビット数）が高くなり、装置の処理能力を超えるという問題がある。
【０００６】
そこで、動画の過去のフレームの画像データの量子化後の発生符号量に応じて量子化パラメータ（ＱＰ:Quantization Parameter）値を制御し、発生符号量が大きくなると、ＱＰ値を大きく（圧縮率を高く）してビットレートが処理能力を超えないように制限し、発生符号量が小さくなると、ＱＰ値を小さく（圧縮率を低く）して高画質化を図っている。
【０００７】
特許文献２には、処理する画像が静止画から動画に切り替わった直後における画質の劣化を回避することが可能な画像処理装置が提案されている。この画像処理装置は、処理する画像が静止画から動画に切り替わった直後に発生し得る、発生符号量が予め設定された下限値以下になる場合、その発生符号量を下限値に制限している。
【０００８】
即ち、圧縮処理する画像が静止画であることにより実際の発生符号量がゼロ又はそれに近い場合であっても、ある程度の符号量（下限値）が発生したものとみなし、これにより、圧縮処理する画像が静止画から動画に切り替わった時点において、ＱＰ値が過度に小さく設定されないようにしている。その結果、圧縮処理する画像が静止画から動画に切り替わった直後において、ＱＰ値が過度に小さく設定される領域と過度に大きく設定される領域とが繰り返されるという事態が発生せず、静止画から動画に切り替わった時点の動画の画質の劣化を回避するようにしている。
【先行技術文献】
【特許文献】
【０００９】
【特許文献１】特開２０１６−３２３０３号公報
【特許文献２】特開２０１３−１８７６３４号公報
【発明の概要】
【発明が解決しようとする課題】
【００１０】
特許文献２に記載の画像処理装置は、静止画のフレームと動画のフレームとが混在する入力画像に対して圧縮処理するものであり、静止画抽出用の動画を圧縮処理するものではない。
【００１１】
また、静止画抽出用の動画を圧縮処理の対象とする場合、動画の任意のフレームが静止画として抽出される可能性があるため、動画の全てのフレームに対して一定の画質（静止画として要求される画質）を保つ必要があるが、特許文献２には、静止画抽出用の動画を圧縮処理する記載がなく、動画の全てのフレームに対して一定の画質を保つための圧縮処理を行っていない。
【００１２】
動画として鑑賞される通常の動画の場合、動画全体の画質を考慮して圧縮処理の最適化が行われるため、動画の１枚のフレームを静止画として抽出する用途に対して、ＱＰ値が大き過ぎる調整がされる可能性があり、静止画としての画質が得られないという問題がある。
【００１３】
本発明はこのような事情に鑑みてなされたもので、撮影条件が異なる第1動画撮影モード及び第2動画撮影モードに応じて、各動画撮影モードにより撮影される動画に対して好適な圧縮処理を行うことができる画像処理装置、撮影装置、画像処理方法及び画像処理プログラムを提供することを目的とする。
【課題を解決するための手段】
【００１４】
上記目的を達成するために一の態様に係る発明は、第１動画撮影モード、又は第１動画撮影モードとは撮影条件が異なる第２動画撮影モードに基づいて撮影された動画を取得する動画取得部と、動画取得部で取得した動画を構成するフレームの画像データの量子化パラメータを決定し、画像データを圧縮する圧縮処理部と、を備える画像処理装置であって、圧縮処理部は、第１動画撮影モードの場合、第１範囲内で量子化パラメータを決定し、第２動画撮影モードの場合、第２範囲内で量子化パラメータを決定し、第２範囲の第２上限値は第１範囲の第１上限値よりも小さく、第２範囲の第２下限値は第１範囲の第１下限値よりも大きい。
【００１５】
本発明の一の態様によれば、第1動画撮影モードと第２動画撮影モードとでは、動画を圧縮する場合に適用される量子化パラメータのとり得る範囲を異ならせ、第１動画撮影モードの場合、第１範囲内で量子化パラメータを決定し、第２動画撮影モードの場合、第1範囲よりも狭い第２範囲内で量子化パラメータを決定する。特に第２範囲の第２上限値は第１範囲の第１上限値よりも小さくし、第２範囲の第２下限値は第１範囲の第１下限値よりも大きくすることで、第2動画撮影モードにより撮影される動画に対する圧縮処理は、第１動画撮影モードにより撮影される動画に対する圧縮処理に比べて、動画の全てのフレームに対して一定の画質を保ちつつ、ビットレートが過大にならないように圧縮処理を行うことができる。
【００１６】
本発明の他の態様に係る画像処理装置において、第２範囲は、フレームレートの設定値に応じて設定されることが好ましい。
【００１７】
本発明の更に他の態様に係る画像処理装置において、第２範囲は、外部からの指示を入力する指示入力部からの入力に応じて設定されることが好ましい。
【００１８】
本発明の更に他の態様に係る画像処理装置において、動画取得部で取得した動画のシーンを判別するシーン判別部を備え、第２範囲は、シーン判別部により判別されるシーンに応じて設定されることが好ましい。スポーツシーンのように被写体の動きが多いシーンでは、よりビットレートが過大にならないように第２下限値を、動きの少ない他のモードに比べて大きくする態様が考えられる。
【００１９】
本発明の更に他の態様に係る画像処理装置において、圧縮処理部は、ＭＰＥＧ符号化方式により動画を圧縮することが好ましい。ＭＰＥＧ符号化方式は、動画を圧縮する代表的な符号化方式であり、ＭＰＥＧ−２、ＭＰＥＧ−４、及びＨ．２６４／ＡＶＣ等を含む。
【００２０】
本発明の更に他の態様に係る画像処理装置において、圧縮処理部は、動画の過去のフレームの画像データの量子化後の発生符号量に応じて量子化パラメータを決定することが好ましい。
【００２１】
本発明の更に他の態様に係る画像処理装置において、第２動画撮影モードは、第１動画撮影モードに対してシャッタスピード、オートフォーカスの速度、自動露出の追従速度、ホワイトバランスの追従速度及びフレームレートの少なくとも１つが高速に設定されることが好ましい。
【００２２】
本発明の更に他の態様に係る撮影装置は、上記の画像処理装置と、第１動画撮影モード、又は第２動画撮影モードに基づいて動画を撮影する動画撮影部と、を備え、動画取得部は、動画撮影部により撮影された動画を取得する。
【００２３】
更に他の態様に係る発明は、第１動画撮影モード、又は第１動画撮影モードとは撮影条件が異なる第２動画撮影モードに基づいて撮影された動画を取得する動画取得ステップと、動画取得ステップで取得した動画を構成するフレームの画像データの量子化パラメータを決定し、画像データを圧縮する圧縮処理ステップと、を含む画像処理方法であって、圧縮処理ステップは、第１動画撮影モードの場合、第１範囲内で量子化パラメータを決定し、第２動画撮影モードの場合、第２範囲内で量子化パラメータを決定し、第２範囲の第２上限値は第１範囲の第１上限値よりも小さく、第２範囲の第２下限値は第１範囲の第１下限値よりも大きい。
【００２４】
本発明の更に他の態様に係る画像処理方法において、第２範囲は、フレームレートの設定値に応じて設定されることが好ましい。
【００２５】
本発明の更に他の態様に係る画像処理方法において、第２範囲は、外部からの指示を入力する指示入力部からの入力に応じて設定されることが好ましい。
【００２６】
本発明の更に他の態様に係る画像処理方法において、動画取得ステップで取得した動画のシーンを判別するステップを含み、第２範囲は、判別されたシーンに応じて設定されることが好ましい。
【００２７】
本発明の更に他の態様に係る画像処理方法において、圧縮処理ステップは、ＭＰＥＧ符号化方式により動画を圧縮することが好ましい。
【００２８】
本発明の更に他の態様に係る画像処理方法において、圧縮処理ステップは、動画の過去のフレームの画像データの量子化後の発生符号量に応じて量子化パラメータを決定することが好ましい。
【００２９】
本発明の更に他の態様に係る画像処理方法において、第２動画撮影モードは、第１動画撮影モードに対してシャッタスピード、オートフォーカスの速度、自動露出の追従速度、ホワイトバランスの追従速度及びフレームレートの少なくとも１つが高速に設定されることが好ましい。
【００３０】
更に他の態様に係る発明は、第１動画撮影モード、又は第１動画撮影モードとは撮影条件が異なる第２動画撮影モードに基づいて撮影された動画を取得する動画取得機能と、動画取得機能で取得した動画を構成するフレームの画像データの量子化パラメータを決定し、画像データを圧縮する圧縮処理機能と、をコンピュータに実現させる画像処理プログラムであって、圧縮処理機能は、第１動画撮影モードの場合、第１範囲内で量子化パラメータを決定し、第２動画撮影モードの場合、第２範囲内で量子化パラメータを決定し、第２範囲の第２上限値は第１範囲の第１上限値よりも小さく、第２範囲の第２下限値は第１範囲の第１下限値よりも大きい。
【発明の効果】
【００３１】
本発明によれば、撮影条件が異なる第１動画撮影モード及び第２動画撮影モードに応じて、各動画撮影モードにより撮影される動画に対して好適な圧縮処理を行うことができ、特に第２動画撮影モードにより撮影される動画に対する圧縮処理は、第１動画撮影モードにより撮影される動画に対する圧縮処理に比べて、動画の全てのフレームに対して一定の画質を保ちつつ、ビットレートが過大にならないように圧縮処理を行うことができる。
【図面の簡単な説明】
【００３２】
【図１】図１は本発明に係る撮影装置を斜め前方から見た斜視図である。
【図２】図２は撮影装置の背面図である。
【図３】図３は撮影装置の内部構成の実施形態を示すブロック図である。
【図４】図４は本発明に係る画像処理装置の第１実施形態を示すブロック図である。
【図５】図５は通常の動画を圧縮処理する際の過去のフレームの画像データの量子化後の発生符号量の変化と、ＱＰ値との関係を示す模式図である。
【図６】図６は静止画抽出用の動画を圧縮処理する際の過去のフレームの画像データの量子化後の発生符号量の変化と、ＱＰ値との関係を示す模式図である。
【図７】図７は本発明に係る画像処理装置の第２実施形態を示すブロック図である。
【図８】図８は本発明に係る画像処理方法の実施形態を示すフローチャートである。
【図９】図９は本発明に係る撮影装置の一実施形態であるスマートフォンの外観図である。
【図１０】図１０はスマートフォンの構成を示すブロック図である。
【発明を実施するための形態】
【００３３】
以下、添付図面にしたがって本発明に係る画像処理装置、撮影装置、画像処理方法及び画像処理プログラムの好ましい実施形態について説明する。
【００３４】
＜撮影装置の外観＞
図１は、本発明に係る撮影装置を斜め前方から見た斜視図であり、図２は撮影装置の背面図である。
【００３５】
図１に示すように撮影装置１０は、交換レンズ１００と、交換レンズ１００が着脱可能なカメラ本体２００とから構成されたミラーレスのデジタル一眼カメラである。
【００３６】
図１において、カメラ本体２００の前面には、交換レンズ１００が装着される本体マウント２６０と、光学ファインダのファインダ窓２０等が設けられ、カメラ本体２００の上面には、主としてシャッタレリーズスイッチ２２、シャッタスピードダイヤル２３、露出補正ダイヤル２４、電源レバー２５、及び内蔵フラッシュ３０が設けられている。
【００３７】
また、図２に示すようにカメラ本体２００の背面には、主として液晶モニタ２１６、光学ファインダの接眼部２６、ＭＥＮＵ／ＯＫキー２７、十字キー２８、再生ボタン２９等が設けられている。
【００３８】
液晶モニタ２１６は、撮影モード時にライブビュー画像を表示したり、再生モード時に撮影した画像を再生表示する他、各種のメニュー画面を表示する表示部として機能し、またユーザに対して各種の情報を通知する通知部として機能する。ＭＥＮＵ／ＯＫキー２７は、液晶モニタ２１６の画面上にメニューを表示させる指令を行うためのメニューボタンとしての機能と、選択内容の確定及び実行などを指令するＯＫボタンとしての機能とを兼備した操作キーである。十字キー２８は、上下左右の４方向の指示を入力する操作部であり、メニュー画面から項目を選択したり、各メニューから各種設定項目の選択を指示したりするマルチファンクションキーとして機能する。また、十字キー２８の上キー及び下キーは撮影時のズームスイッチあるいは再生モード時の再生ズームスイッチとして機能し、左キー及び右キーは再生モード時のコマ送り（順方向及び逆方向送り）ボタンとして機能する。また、液晶モニタ２１６に表示された複数の被写体から焦点調節を行う任意の被写体を指定する操作部としても機能する。
【００３９】
また、ＭＥＮＵ／ＯＫキー２７、十字キー２８、及び液晶モニタ２１６は、各種の撮影モードを選択する撮影モード選択部として機能するとともに、シーン選択部（シーン判別部）として機能する。
【００４０】
即ち、ＭＥＮＵ／ＯＫキー２７を操作し、液晶モニタ２１６にメニュー画面を表示させ、そのメニュー画面を使用することで、１枚の静止画を撮影する静止画撮影モードの他に動画を撮影する動画撮影モードを設定することができる。また、動画撮影モードには、第１動画撮影モードと、第１動画撮影モードとは撮影条件が異なる第２動画撮影モードとがある。
【００４１】
第２動画撮影モードでは、第１動画撮影モードと撮影条件が異なる動画（動画自体の鑑賞よりも静止画の抽出を重視した撮影条件の動画）を撮影する。具体的には、第２動画撮影モードでは、第１動画撮影モードに対してシャッタスピード、オートフォーカスの速度、自動露出の追従速度、ホワイトバランスの追従速度のうち少なくとも１つが高速に設定され、かつ／または第１動画撮影モードに対してフレームレートが高く設定される。また、解像度及びフレームレートは撮影装置１０で設定可能な最高値（例えば４，０００×２，０００画素、３０ｆｐｓ（フレーム／秒））に設定され、色調も静止画抽出を前提として設定される。ＩＳＯ感度の上限も第１動画撮影モードより高くする。
【００４２】
例えば、シャッタスピードに関しては、第１動画撮影モードでは記録する動画のフレームレートに対応した値（フレームレートが３０ｆｐｓの場合、１／３０秒）に設定されるが、第２動画モードではフレーム間隔よりも高速（例えば、１／３０秒未満）に設定される。第１動画撮影モードでは、滑らかな動画が再生されるようにシャッタスピードが動画のフレームレートに対応した値に設定されるが、この場合、動く被写体に対してはブレが生じる可能性がある。このため、第２動画撮影モードでは、シャッタスピードを第１画撮影モードよりも高速（フレーム間隔よりも高速）に設定しており、これにより被写体のブレが少ない、高画質な静止画を抽出することが可能になる。同様に、ＩＳＯ感度の上限を高くすることでシャッタスピードを高速化でき、これによりブレが少ない静止画を抽出することができる。また、オートフォーカスの速度，自動露出の追従速度やオートホワイトバランスの追従速度等が第１動画撮影モードよりも高速に設定されることで、被写体に合焦したフレーム、露出が適正なフレーム等を多く取得することができる。フレームレートについても、高レートに設定することで動画のフレーム間隔が短くなり、静止画として抽出できるフレームが増加する。尚、フレームレートの設定値（３０ｆｐｓ，６０ｆｐｓ等）は、ＭＥＮＵ／ＯＫキー２７、十字キー２８等を使用して設定することができる。
【００４３】
上述した第２動画撮影モードによれば、動画を記憶しておき動画を構成するフレームを静止画として抽出することができるので、ユーザはいつ発生するか分からないイベント（自然現象やアクシデント、ハプニング等）の写真、時間の経過と共に状態が変化する被写体や動きのある被写体の瞬間的な状態の写真等を容易に撮影することができる。この際、静止画の記録を指示したタイミングだけでなく、その他のタイミングについても静止画を抽出できるので、ユーザは所望のタイミングの静止画を取得することができる。また、静止画抽出に適した撮影条件（上述したシャッタスピード、解像度、フレームレート等）を設定することにより高画質の静止画を抽出することができる。
【００４４】
また、ＭＥＮＵ／ＯＫキー２７を操作し、液晶モニタ２１６にメニュー画面を表示させ、そのメニュー画面を使用することで、撮影シーンを選択することができる。撮影シーンには、風景、夜景、夕焼け、マクロ、人物、動体、スポーツなどの撮影シーンがあり、これらの撮影シーンのうちの何れかの撮影シーンを手動又は自動で選択又は判定し、カメラに設定することができる。尚、カメラに設定される撮影シーンに応じてその撮影シーンに最適な撮影条件が設定される。
【００４５】
再生ボタン２９は、記録した静止画又は動画を液晶モニタ２１６に表示させる再生モードに切り替えるためのボタンである。
【００４６】
＜撮影装置の内部構成＞
［交換レンズ］
図３は、撮影装置１０の内部構成の実施形態を示すブロック図である。
【００４７】
撮影装置１０を構成する撮影光学系として機能する交換レンズ１００は、カメラ本体２００の通信規格に沿って製造されたものであり、後述するようにカメラ本体２００との間で通信を行うことができる交換レンズである。この交換レンズ１００は、撮影光学系１０２、フォーカスレンズ制御部１１６、絞り制御部１１８、レンズ側ＣＰＵ（Central Processing Unit）１２０、フラッシュＲＯＭ(Read Only Memory)１２６、レンズ側通信部１５０、及びレンズマウント１６０を備える。
【００４８】
交換レンズ１００の撮影光学系１０２は、フォーカスレンズを含むレンズ群１０４及び絞り１０８を含む。
【００４９】
フォーカスレンズ制御部１１６は、レンズ側ＣＰＵ１２０からの指令にしたがってフォーカスレンズを移動させ、フォーカスレンズの位置（合焦位置）を制御する。絞り制御部１１８は、レンズ側ＣＰＵ１２０からの指令にしたがって絞り１０８を制御する。
【００５０】
レンズ側ＣＰＵ１２０は、交換レンズ１００を統括制御するもので、ＲＯＭ１２４及びＲＡＭ(Random Access Memory)１２２を内蔵している。
【００５１】
フラッシュＲＯＭ１２６は、カメラ本体２００からダウンロードされたプログラム等を格納する不揮発性のメモリである。
【００５２】
レンズ側ＣＰＵ１２０は、ＲＯＭ１２４又はフラッシュＲＯＭ１２６に格納された制御プログラムに従い、ＲＡＭ１２２を作業領域として、交換レンズ１００の各部を統括制御する。
【００５３】
レンズ側通信部１５０は、レンズマウント１６０がカメラ本体２００の本体マウント２６０に装着されている状態で、レンズマウント１６０に設けられた複数の信号端子（レンズ側信号端子）を介してカメラ本体２００との通信を行う。即ち、レンズ側通信部１５０は、レンズ側ＣＰＵ１２０の指令にしたがって、レンズマウント１６０及び本体マウント２６０を介して接続されたカメラ本体２００の本体側通信部２５０との間で、リクエスト信号、回答信号の送受信（双方向通信）を行い、撮影光学系１０２の各光学部材のレンズ情報（フォーカスレンズの位置情報、焦点距離情報及び絞り情報等）を、カメラ本体２００に通知する。
【００５４】
また、交換レンズ１００は、フォーカスレンズの位置情報、及び絞り情報を検出する検出部（図示せず）を備えている。ここで、絞り情報とは、絞り１０８の絞り値（Ｆ値）、絞り１０８の開口径等を示す情報である。
【００５５】
レンズ側ＣＰＵ１２０は、カメラ本体２００からのレンズ情報のリクエストに応えるために、検出されたフォーカスレンズの位置情報及び絞り情報を含む各種のレンズ情報をＲＡＭ１２２に保持することが好ましい。また、レンズ情報は、カメラ本体２００からのレンズ情報の要求があると検出され、又は光学部材が駆動されるときに検出され、又は一定の周期（動画のフレーム周期よりも十分に短い周期）で検出され、検出結果を保持することができる。
【００５６】
［カメラ本体］
図３に示す撮影装置１０を構成するカメラ本体２００は、イメージセンサ２０１、イメージセンサ制御部２０２、アナログ信号処理部２０３、Ａ／Ｄ（Analog/Digital）変換器２０４、画像入力コントローラ２０５、デジタル信号処理部２０６、ＲＡＭ２０７、圧縮伸張処理部２０８、メディア制御部２１０、メモリカード２１２、表示制御部２１４、液晶モニタ２１６、本体側ＣＰＵ２２０、操作部２２２、時計部２２４、フラッシュＲＯＭ２２６、ＲＯＭ２２８、ＡＦ(Autofocus)制御部２３０、ＡＥ（Auto Exposure)制御部２３２、ホワイトバランス補正部２３４、無線通信部２３６、ＧＰＳ(Global Positioning System)受信部２３８、電源制御部２４０、バッテリ２４２、本体側通信部２５０、本体マウント２６０、内蔵フラッシュ３０（図１）を構成するフラッシュ発光部２７０、フラッシュ制御部２７２、フォーカルプレーンシャッタ（ＦＰＳ：focal-plane shutter）２８０、及びＦＰＳ制御部２９６を備える。
【００５７】
イメージセンサ２０１は、ＣＭＯＳ(Complementary Metal-Oxide Semiconductor)型のカラーイメージセンサにより構成されている。尚、イメージセンサ２０１は、ＣＭＯＳ型に限らず、ＸＹアドレス型、又はＣＣＤ（Charge Coupled Device）型のイメージセンサでもよい。
【００５８】
イメージセンサ２０１の各画素には、赤（Ｒ）、緑（Ｇ）、青（Ｂ）の３原色のカラーフィルタ（Ｒフィルタ、Ｇフィルタ、Ｂフィルタ）のうちのいずれか１色のカラーフィルタが、所定のカラーフィルタ配列にしたがって配置されている。カラーフィルタ配列は、一般的なベイヤー配列とすることできるが、これに限定されるものではなく、例えば、Ｔｒａｎｓ（登録商標）配列等の他のカラーフィルタ配列でもよい。
【００５９】
さて、交換レンズ１００の撮影光学系１０２によってイメージセンサ２０１の受光面に結像された被写体の光学像は、イメージセンサ２０１によって電気信号に変換される。イメージセンサ２０１の各画素には、入射する光量に応じた電荷が蓄積され、イメージセンサ２０１からは各画素に蓄積された電荷量（信号電荷）に応じた電気信号が画像信号として読み出される。
【００６０】
イメージセンサ制御部２０２は、本体側ＣＰＵ２２０の指令にしたがってイメージセンサ２０１から画像信号の読み出し制御を行う。また、イメージセンサ制御部２０２は、静止画の撮影が行われる場合には、ＦＰＳ２８０の開閉により露光時間が制御された後、ＦＰＳ２８０が閉じた状態でイメージセンサ２０１の全ラインを読み出す。また、本例のイメージセンサ２０１及びイメージセンサ制御部２０２は、少なくとも１つ以上のライン毎や画素毎に順次露光動作を行う（即ち、ライン毎や画素毎に順次リセットを行い、電荷の蓄積を開始し、蓄積した電荷を読み出す方式である）、いわゆるローリングシャッタ方式にて駆動することができ、特にＦＰＳ２８０を開放した状態でローリングシャッタ方式にて動画の撮影、又はライブビュー画像の撮影を行う機能を有する。
【００６１】
アナログ信号処理部２０３は、イメージセンサ２０１で被写体を撮影して得られたアナログの画像信号に対して、各種のアナログ信号処理を施す。アナログ信号処理部２０３は、サンプリングホールド回路、色分離回路、ＡＧＣ（Automatic Gain Control）回路等を含んで構成されている。ＡＧＣ回路は、撮影時の感度（ＩＳＯ感度(ＩＳＯ：International Organization for Standardization)）を調整する感度調整部として機能し、入力する画像信号を増幅する増幅器のゲインを調整し、画像信号の信号レベルが適切な範囲に入るようにする。Ａ／Ｄ変換器２０４は、アナログ信号処理部２０３から出力されたアナログの画像信号をデジタルの画像信号に変換する。
【００６２】
静止画又は動画の撮影時にイメージセンサ２０１、アナログ信号処理部２０３、及びＡ／Ｄ変換器２０４を介して出力されるＲＧＢの画素毎の画像データ（モザイク画像データ）は、画像入力コントローラ２０５からＲＡＭ２０７に入力され、一時的に記憶される。
尚、イメージセンサ２０１がＣＭＯＳ型イメージセンサである場合、アナログ信号処理部２０３及びＡ／Ｄ変換器２０４は、イメージセンサ２０１内に内蔵されていることが多い。
【００６３】
デジタル信号処理部２０６は、ＲＡＭ２０７に格納されている画像データに対して、各種のデジタル信号処理を施す。デジタル信号処理部２０６は、ＲＡＭ２０７に記憶されている画像データを適宜読み出し、読み出した画像データに対してオフセット処理、感度補正を含むゲイン・コントロール処理、ガンマ補正処理、デモザイク処理（デモザイキング処理、同時化処理とも言う）、ＲＧＢ／ＹＣｒＣｂ変換処理等のデジタル信号処理を行い、デジタル信号処理後の画像データを再びＲＡＭ２０７に記憶させる。尚、デモザイク処理とは、例えば、ＲＧＢ３色のカラーフィルタからなるイメージセンサの場合、ＲＧＢからなるモザイク画像から画素毎にＲＧＢ全ての色情報を算出する処理であり、モザイクデータ（点順次のＲＧＢデータ）から同時化されたＲＧＢ３面の画像データを生成する。
【００６４】
ＲＧＢ／ＹＣｒＣｂ変換処理は、同時化されたＲＧＢデータを輝度データ（Ｙ）及び色差データ（Ｃｒ、Ｃｂ）に変換する処理である。
【００６５】
圧縮伸張処理部２０８は、静止画又は動画の記録時に、一旦ＲＡＭ２０７に格納された非圧縮の輝度データＹ及び色差データＣｂ，Ｃｒに対して圧縮処理を施す。静止画の場合には、例えばＪＰＥＧ(Joint Photographic coding Experts Group)形式で圧縮し、動画の場合には、例えばＭＰＥＧ符号化方式の一つであるＨ．２６４／ＡＶＣ（Advanced Video Coding）方式で圧縮する。圧縮伸張処理部２０８により圧縮された画像データは、メディア制御部２１０を介してメモリカード２１２に記録される。また、圧縮伸張処理部２０８は、再生モード時にメディア制御部２１０を介してメモリカード２１２から得た圧縮された画像データに対して伸張処理を施し、非圧縮の画像データを生成する。
【００６６】
尚、本発明に係る圧縮伸張処理部２０８（特に、圧縮処理部）の詳細については後述する。
【００６７】
メディア制御部２１０は、圧縮伸張処理部２０８で圧縮された画像データを、メモリカード２１２に記録する制御を行う。また、メディア制御部２１０は、メモリカード２１２から、圧縮された画像データを読み出す制御を行う。
【００６８】
表示制御部２１４は、ＲＡＭ２０７に格納されている非圧縮の画像データを、液晶モニタ２１６に表示させる制御を行う。液晶モニタ２１６は、液晶表示デバイスにより構成されているが、液晶モニタ２１６の代わりに有機エレクトロルミネッセンスなどの表示デバイスによって構成してもよい。
【００６９】
液晶モニタ２１６にライブビュー画像を表示させる場合には、デジタル信号処理部２０６で連続的に生成されたデジタルの画像信号が、ＲＡＭ２０７に一時的に記憶される。表示制御部２１４は、このＲＡＭ２０７に一時記憶されたデジタルの画像信号を表示用の信号形式に変換して、液晶モニタ２１６に順次出力する。これにより、液晶モニタ２１６に撮影画像がリアルタイムに表示され、液晶モニタ２１６を電子ビューファインダとして使用することができる。
【００７０】
シャッタレリーズスイッチ２２は、静止画や動画の撮影指示を入力するための撮影指示部であり、いわゆる「半押し」と「全押し」とからなる２段ストローク式のスイッチで構成されている。
【００７１】
静止画撮影モードの場合、シャッタレリーズスイッチ２２が半押しされることによってＳ１オンの信号、半押しから更に押し込む全押しがされることによってＳ２オンの信号が出力され、Ｓ１オン信号が出力されると、本体側ＣＰＵ２２０は、ＡＦ制御（自動焦点調節）及びＡＥ制御（自動露出制御）などの撮影準備処理を実行し、Ｓ２オン信号が出力されると、静止画の撮影処理及び記録処理を実行する。
【００７２】
尚、ＡＦ及びＡＥは、それぞれ操作部２２２によりオートモードが設定されている場合に自動的に行われ、マニュアルモードが設定されている場合には、ＡＦ及びＡＥが行われないことは言うまでもない。
【００７３】
また、動画撮影モード（通常の動画用の第１動画撮影モード、又は静止画抽出用の第２動画撮影モード）の場合、シャッタレリーズスイッチ２２が全押しされることによってＳ２オンの信号が出力されると、カメラ本体２００は、動画の記録を開始する動画記録モードになり、動画の画像処理及び記録処理を実行し、その後、シャッタレリーズスイッチ２２が再び全押しされることによってＳ２オンの信号が出力されると、カメラ本体２００は、スタンバイ状態になり、動画の記録処理を一時停止する。
【００７４】
尚、シャッタレリーズスイッチ２２は半押しと全押しとからなる２段ストローク式のスイッチの形態に限られず、1回の操作でＳ１オンの信号、Ｓ２オンの信号を出力しても良く、それぞれ個別のスイッチを設けてＳ１オンの信号、Ｓ２オンの信号を出力しても良い。
【００７５】
また、タッチ式パネル等により操作指示を行う形態では、これら操作手段としてタッチ式パネルの画面に表示される操作指示に対応する領域をタッチすることで操作指示を出力するようにしても良く、撮影準備処理や撮影処理を指示するものであれば操作手段の形態はこれらに限られない。
【００７６】
撮影により取得された静止画又は動画は、圧縮伸張処理部２０８により圧縮され、圧縮された画像データは、撮影日時、ＧＰＳ情報、撮影条件（Ｆ値、シャッタスピード、ＩＳＯ感度等）の所要の付属情報が、ヘッダに付加された画像ファイルとされた後、メディア制御部２１０を介してメモリカード２１２に格納される。
【００７７】
本体側ＣＰＵ２２０は、カメラ本体２００全体の動作及び交換レンズ１００の光学部材の駆動等を統括制御するもので、シャッタレリーズスイッチ２２を含む操作部２２２等からの入力に基づき、カメラ本体２００の各部及び交換レンズ１００を制御する。
【００７８】
時計部２２４は、タイマとして、本体側ＣＰＵ２２０からの指令に基づいて時間を計測する。また、時計部２２４は、カレンダとして、現在の年月日及び時刻を計測する。
【００７９】
フラッシュＲＯＭ２２６は、読み取り及び書き込みが可能な不揮発性メモリであり、設定情報を記憶する。
【００８０】
ＲＯＭ２２８には、本体側ＣＰＵ２２０が実行するカメラ制御プログラム、本発明に係る画像処理プログラム、イメージセンサ２０１の欠陥情報、画像処理等に使用する各種のパラメータやテーブルが記憶されている。本体側ＣＰＵ２２０は、ＲＯＭ２２８に格納されたカメラ制御プログラム、あるいは画像処理プログラムにしたがい、ＲＡＭ２０７を作業領域としながらカメラ本体２００の各部、及び交換レンズ１００を制御する。
【００８１】
自動焦点調節部として機能するＡＦ制御部２３０は、イメージセンサ２０１が位相差画素を含む場合には、位相差ＡＦの制御に必要なデフォーカス量を算出し、算出したデフォーカス量に基づいて、フォーカスレンズが移動すべき位置（合焦位置）指令を、本体側ＣＰＵ２２０及び本体側通信部２５０を介して交換レンズ１００に通知する。
【００８２】
ＡＦ制御部２３０により算出されたデフォーカス量に対応するフォーカスレンズの位置指令は、交換レンズ１００に通知され、フォーカスレンズの位置指令を受け付けた交換レンズ１００のレンズ側ＣＰＵ１２０は、フォーカスレンズ制御部１１６を介してフォーカスレンズを移動させ、フォーカスレンズの位置（合焦位置）を制御する。尚、ＡＦ制御部２３０は、位相差ＡＦを行うものに限らず、ＡＦ領域のコントラストが最大になるようにフォーカスレンズを移動させるコントラストＡＦを行うものでもよい。
【００８３】
ＡＥ制御部２３２は、被写体の明るさ（被写体輝度）を検出する部分であり、被写体輝度に対応するＡＥ制御及びＡＷＢ（Auto White Balance）制御に必要な数値（露出値（ＥＶ値（exposure value）））を算出する。ＡＥ制御部２３２は、イメージセンサ２０１を介して取得した画像の輝度、画像の輝度の取得時のシャッタスピード及びＦ値によりＥＶ値を算出する。
【００８４】
本体側ＣＰＵ２２０は、ＡＥ制御部２３２から得たＥＶ値に基づいて所定のプログラム線図からＦ値、シャッタスピード及びＩＳＯ感度を決定し、ＡＥ制御を行うことができる。
【００８５】
ホワイトバランス補正部２３４は、ＲＧＢデータ（Ｒデータ、Ｇデータ及びＢデータ）の色データ毎のホワイトバランスゲイン（ＷＢ（White Balance）ゲイン)Ｇr,Ｇg,Ｇbを算出し、Ｒデータ、Ｇデータ及びＢデータに、それぞれ算出したＷＢゲインＧr,Ｇg,Ｇbを乗算することによりホワイトバランス補正を行う。ここで、ＷＢゲインＧr,Ｇg,Ｇbの算出方法としては、被写体の明るさ（ＥＶ値）によるシーン認識（屋外、屋内の判定等）及び周囲光の色温度等に基づいて被写体を照明している光源種を特定し、予め光源種毎に適切なＷＢゲインが記憶されている記憶部から特定した光源種に対応するＷＢゲインを読み出す方法が考えられるが、少なくともＥＶ値を使用してＷＢゲインＧr,Ｇg,Ｇbを求める他の公知の方法が考えられる。
【００８６】
無線通信部２３６は、Wi-Fi（Wireless Fidelity）（登録商標）、Bluetooth（登録商標）等の規格の近距離無線通信を行う部分であり、周辺のデジタル機器（スマートフォン、等の携帯端末）との間で必要な情報の送受信を行う。
【００８７】
ＧＰＳ受信部２３８は、本体側ＣＰＵ２２０の指示にしたがって、複数のＧＰＳ衛星から送信されるＧＰＳ信号を受信し、受信した複数のＧＰＳ信号に基づく測位演算処理を実行し、カメラ本体２００の緯度、経度、及び高度からなるＧＰＳ情報を取得する。取得されたＧＰＳ情報は、撮影された画像の撮影位置を示す付属情報として画像ファイルのヘッダに記録することができる。
【００８８】
電源制御部２４０は、本体側ＣＰＵ２２０の指令にしたがって、バッテリ２４２から供給される電源電圧をカメラ本体２００の各部に与える。また、電源制御部２４０は、本体側ＣＰＵ２２０の指令にしたがって、本体マウント２６０及びレンズマウント１６０を介して、バッテリ２４２から供給される電源電圧を交換レンズ１００の各部に与える。
【００８９】
レンズ電源スイッチ２４４は、本体側ＣＰＵ２２０の指令にしたがって、本体マウント２６０及びレンズマウント１６０を介して交換レンズ１００に与える電源電圧のオン及びオフの切り替えとレベルの切り替えを行う。
【００９０】
本体側通信部２５０は、本体側ＣＰＵ２２０の指令にしたがって、本体マウント２６０及びレンズマウント１６０を介して接続された交換レンズ１００のレンズ側通信部１５０との間で、リクエスト信号、回答信号の送受信（双方向通信）を行う。尚、本体マウント２６０には、図１に示すように複数の端子２６０Ａが設けられており、交換レンズ１００がカメラ本体２００に装着（レンズマウント１６０と本体マウント２６０とが接続）されると、本体マウント２６０に設けられた複数の端子２６０Ａ（図１）と、レンズマウント１６０に設けられた複数の端子（図示せず）とが電気的に接続され、本体側通信部２５０とレンズ側通信部１５０との間で双方向通信が可能になる。
【００９１】
内蔵フラッシュ３０（図１）は、例えば、ＴＴＬ（Through The Lens)自動調光方式のフラッシュであり、フラッシュ発光部２７０と、フラッシュ制御部２７２とから構成されている。
【００９２】
フラッシュ制御部２７２は、フラッシュ発光部２７０から発光するフラッシュ光の発光量（ガイドナンバー）を調整する機能を有する。即ち、フラッシュ制御部２７２は、本体側ＣＰＵ２２０からのフラッシュ撮影指示に同期してフラッシュ発光部２７０から、発光量の小さいフラッシュ光をプリ発光（調光発光）させ、交換レンズ１００の撮影光学系１０２を介して入射する反射光（周囲光を含む）に基づいて本発光するフラッシュ光の発光量を決定し、決定した発光量のフラッシュ光を、フラッシュ発光部２７０から発光（本発光）させる。
【００９３】
ＦＰＳ２８０は、撮影装置１０のメカシャッタを構成し、イメージセンサ２０１の直前に配置される。ＦＰＳ制御部２９６は、本体側ＣＰＵ２２０からの入力情報（Ｓ２オン信号、シャッタスピード等）に基づいてＦＰＳ２８０の先幕、後幕の開閉を制御し、イメージセンサ２０１における露光時間（シャッタスピード）を制御する。
【００９４】
次に、第１動画撮影モード又は第２動画撮影モードが設定され、第１動画撮影モード又は第２動画撮影モードにより撮影された動画を圧縮する圧縮伸張処理部２０８について説明する。
【００９５】
［第１実施形態］
図４は、本発明に係る画像処理装置の第１実施形態を示すブロック図であり、特にカメラ本体２００内の圧縮伸張処理部２０８の圧縮処理部に関して示している。
【００９６】
図４に示す圧縮処理部２０８−１は、主として動画取得部３０２、直交変換器３１０、量子化部３２０、符号化部３３０、及びビットレート制御部３４０から構成されている。尚、本例の圧縮処理部２０８−１は、ＭＰＥＧ符号化方式の一つであるＨ．２６４／ＡＶＣ方式で圧縮するものとする。
【００９７】
ＭＰＥＧ圧縮方式では、動画の数フレーム（例えば、１５フレーム）の集合である１ＧＯＰ（Group Of Pictures）の単位で圧縮、編集等がなされる。１ＧＯＰには、自フレームの情報のみが圧縮され、時間的に前後する他のフレームとの相関情報を用いないＩ（Intra）フレームと、時間的に過去のフレームからの相関情報で表わされるＰ（Predictive）フレームと、時間的に前後するフレームからの相関情報で表されるＢ（Bidirectionally）フレームとが含まれており、１ＧＯＰの先頭のフレームは、少なくともＩフレームである。
【００９８】
図４に示す圧縮処理部２０８−１は、撮影装置１０の動画撮影部（交換レンズ１００及びカメラ本体２００のイメージセンサ２０１等）により撮影された通常の動画又は静止画抽出用の動画３００を圧縮処理する部分である。
【００９９】
圧縮処理部２０８−１の動画取得部３０２は、動画撮影部により撮影された動画３００を構成するフレームの画像データを取得する部分であり、本例では、説明を簡単にするために、１ＧＯＰを構成するＩフレーム、Ｐフレーム、及びＢフレームを順次取得するものとする。
【０１００】
１ＧＯＰを構成する各フレームは、１６×１６画素のマクロブロック単位で符号化される。１つのマクロブロックの輝度データＹ及び色差データＣｂ，Ｃｒは、例えば、Ｙ：Ｃｒ：Ｃｂ＝４：１：１のフォーマットの８×８画素の４つの輝度データＹのブロックと、８×８画素に間引かれたそれぞれ１つの色差データＣｒ，Ｃｂのブロックとに変換されてから、ブロック（単位ブロック）毎に量子化処理が行われる。
【０１０１】
直交変換器３１０は、８×８画素の単位ブロックのデータを、離散コサイン変換（ＤＣＴ：Discrete Cosine Transform）と呼ばれる手法に従い直交変換して周波数成分に分解し、直交変換係数を算出する。
【０１０２】
量子化部３２０は、直交変換器３１０による変換された直交変換係数を、ビットレート制御部３４０により決定（設定）された量子化パラメータ（ＱＰ値）に基づいて量子化する。
【０１０３】
Ｈ．２６４／ＡＶＣでは、ＱＰ値は、１〜５１の範囲に規定されており、この範囲内でＱＰ値が決定されると、ＱＰ値に対応する量子化ステップサイズ（Ｑｓｔｅｐ）が決まる。Ｑｓｔｅｐは、量子化処理で行われる直交変換係数を除算する値であり、Ｈ．２６４／ＡＶＣでは、ＱＰ値が６増えると２倍になる値であり、決定したＱＰ値に基づいてルックアップテーブルを用いて、又は計算により導出することができる。
【０１０４】
圧縮されたビットストリームの品質及びビットレートは、主に各マクロブロックを量子化するために選択されるＱＰ値によって決定される。ＱＰ値に対応するＱｓｔｅｐは、圧縮されたマクロブロックに空間的ディテールをどの程度保持させるかを調整するための数値である。
【０１０５】
Ｑｓｔｅｐが小さいほど、ディテールの保持は大きく、画像の品質は良いが、ビットレートが高くなる。Ｑｓｔｅｐが増加するにしたがってディテールの保持が小さくなり、ビットレートは削減されるが、画像の品質が低下する。したがって、ビットレート制御部３４０は、画質とビットレートとを勘案してＱＰ値（Ｑｓｔｅｐ）を決定する必要がある。
【０１０６】
尚、ビットレート制御部３４０によるＱＰ値の決定方法については後述する。
【０１０７】
符号化部３３０は、量子化部３２０から供給される量子化値をエントロピー符号化する部分であり、Ｈ．２６４／ＡＶＣでは、ハフマン符号をベースとした可変長符号化 (VLC; Variable Length Coding) と、算術符号化のいずれかを選択することができる。符号化部３３０により更に圧縮された圧縮データ３５０（符号化データ）は、ビットストリームとしてメディア制御部２１０（図３）に送出される。尚、メディア制御部２１０は、圧縮された通常の動画及び静止画抽出用の動画の圧縮データを、メモリカード２１２に記録する動画記録部として機能する。
【０１０８】
ビットレート制御部３４０は、ＶＢＶ（Video Buffering Verifier）バッファとしての機能を有し、符号化部３３０から出力される動画の過去のフレームの画像データの量子化後の符号化データ（発生符号量）を、例えばマクロブロック単位で取得し、取得した発生符号量と予め設定されたビットストリームのビットレートとからＶＢＶバッファ占有量を算出し、ＶＢＶバッファが破綻しないＱＰ値を決定する。ビットレート制御部３４０は、決定したＱＰ値を量子化部３２０に出力する。
【０１０９】
ビットレート制御部３４０は、決定したＱＰ値の代わりに、そのＱＰ値に対応する量子化ステップサイズ（Ｑｓｔｅｐ）を量子化部３２０に出力してもよい。また、ビットレート制御部３４０は、フレーム単位又はＧＯＰ単位でＱＰ値を決定してもよい。
【０１１０】
量子化部３２０は、ビットレート制御部３４０から入力するＱＰ値に対応するＱｓｔｅｐを取得し、又はビットレート制御部３４０から直接Ｑｓｔｅｐを取得し、直交変換係数をＱｓｔｅｐで除算して整数に丸めた量子化値を算出する。
【０１１１】
次に、ビットレート制御部３４０によるＱＰ値の決定方法について更に詳述する。
【０１１２】
図４に示すように、ビットレート制御部３４０には、撮影モード選択部３６０から通常の動画用の第１動画撮影モード、又は静止画抽出用の第２動画撮影モードを示す撮影モード指令が加えられるようになっている。
【０１１３】
撮影モード選択部３６０は、本例では、ＭＥＮＵ／ＯＫキー２７、十字キー２８及び液晶モニタ２１６等を使用したオンスクリーン対話方式による操作部であるが、各種の撮影モードを選択するためのモードダイヤルでもよい。
【０１１４】
撮影装置１０は、撮影モード選択部３６０により第１動画撮影モードが選択された状態で、シャッタレリーズスイッチ２２から動画の撮影指示を入力すると、動画の鑑賞に適した撮影条件で動画（通常の動画）を撮影し、一方、撮影モード選択部３６０により第２動画撮影モードが選択された状態で、シャッタレリーズスイッチ２２から動画の撮影指示を入力すると、静止画の抽出に適した撮影条件で動画（静止画抽出用の動画）を撮影する。
【０１１５】
ここで、静止画抽出用の動画の撮影条件と通常の動画の撮影条件とは、例えば、シャッタスピードが異なり、静止画抽出用の動画の各フレームのシャッタスピードは、通常の動画に比べて高速に設定される。
【０１１６】
静止画抽出用の動画の場合、各フレームに手ブレや像ブレが発生しないシャッタスピードに設定することが好ましいからである。一方、通常の動画の場合、各フレームの連続性を確保するために、フレームレートにより決まるフレーム間隔に相当するシャッタスピードに設定することが好ましい。また、静止画抽出用の動画の場合、ＡＦ、ＡＥ及びＡＷＢの追従速度を可能な限り速くし、一方、通常の動画の場合、ＡＦ、ＡＥ及びＡＷＢの追従速度を緩やかにすることが好ましい。また、静止画抽出用の動画の場合、一瞬のシーンをとらえるために、通常の動画に比べてフレームレートを高くすること（単位時間当りのフレーム数を多くすること）が好ましい。
【０１１７】
さて、ビットレート制御部３４０は、撮影モード選択部３６０から第１動画撮影モードを示す撮影モード指令が加えられる場合と、第２動画撮影モードを示す撮影モード指令が加えられる場合とで、ＱＰ値の範囲（下限値と上限値）を異ならせる。
【０１１８】
図５は、通常の動画の圧縮を圧縮処理する際の過去のフレームの画像データの量子化後の発生符号量の変化と、ＱＰ値との関係を示す模式図である。
【０１１９】
図５に示すように、ビットレート制御部３４０は、通常の動画の量子化に使用するＱＰ値を、第１下限値（Min.1）と第１上限値（Max.1）との範囲（第１範囲）内で決定する。Ｈ．２６４／ＡＶＣの場合、ＱＰ値のとり得る最大範囲は、１〜５１であるため、Min.1及びMax.1は、１〜５１の範囲内で設定される。Min.1及びMax.1は、動画全体の画質を考慮して設定することが好ましい。
【０１２０】
図５に示すように、ＱＰ値がMin.1に設定されている場合、シーンチェンジのように動きのあるシーンのフレームやＧＯＰを量子化すると、量子化後の発生符号量は、急激に増加する。この場合、ビットレート制御部３４０は、ＶＢＶバッファが破綻（ＶＢＶバッファ占有量がオーバーフロー）しないようにＱＰ値を大きくする。
【０１２１】
図５に示す例では、発生符号量が急激に増加した場合、ＱＰ値をMin.1からMax.1にしている。
【０１２２】
その後、動きのあるシーンから静止したシーンになると、ＱＰ値がMax.1に保持されているため、量子化後の発生符号量は急激に減少する。ビットレート制御部３４０は、発生符号量の減少により、ＶＢＶバッファが破綻（ＶＢＶバッファ占有量がアンダーフロー）しないようにＱＰ値を小さくする。
【０１２３】
通常の動画に対するMin.1及びMax.1は、動画全体の画質を考慮して設定されるため、動画として鑑賞するには適しているが、通常の動画から１枚のフレームを静止画として抽出する場合には、抽出された静止画に対するＱＰ値が大き過ぎる可能性がある。
【０１２４】
図６は、静止画抽出用の動画を圧縮処理する際の過去のフレームの画像データの量子化後の発生符号量の変化と、ＱＰ値との関係を示す模式図である。
【０１２５】
図６に示すように、ビットレート制御部３４０は、静止画抽出用の動画の量子化に使用するＱＰ値を、第２下限値（Min.2）と第２上限値（Max.2）との範囲（第２範囲）内で決定する。
【０１２６】
Min.2及びMax.2は、それぞれ静止画抽出用の動画の全てのフレームに対して一定の画質（静止画として要求される画質）を保証することができ、かつ通常の動画の場合と同等のビットレートになるように設定する。
【０１２７】
具体的には、Min.2は、Min.1よりも大きい値にする。Min.2は、シーンチェンジのように動きのあるシーンのフレームやＧＯＰを量子化する場合に、量子化後の発生符号量が大幅に増加しないように設定する。
【０１２８】
また、Min.1よりも大きいMin.2を設定することで、Min.1が設定される場合に比べて、量子化後の発生符号量の増加を抑制することができる。
【０１２９】
一方、Max.2は、Max.1よりも小さい値にする。Max.2は、量子化に使用するＱＰ値としてMax.2が使用されたフレームでも、そのフレームが静止画として所望の画質を保持できる値に設定する。
【０１３０】
図６に示すように、ＱＰ値がMin.1よりも大きいMin.2に設定されている場合、静止しているシーン等において、通常の動画に比べて量子化後の発生符号量が抑制され、その結果、シーンチェンジのように動きのあるシーンのフレームやＧＯＰを量子化する場合でも、急激に増加しないように抑制することができる。
【０１３１】
また、図６に示す例では、発生符号量が増加した場合、ＱＰ値をMin.2からMax.2にしているが、発生符号量の増加が抑制されているため、Max.1よりも小さいMax.2でもＶＢＶバッファが破綻（ＶＢＶバッファ占有量がオーバーフロー）しないようにすることができる。
【０１３２】
特にＱＰ値が、最大でもMax.1よりも小さいMax.2に制限することができるため、静止画抽出用の動画の全てのフレームに対して、静止画として要求される画質を保証することができる。
【０１３３】
［第２実施形態］
図７は、本発明に係る画像処理装置の第２実施形態を示すブロック図であり、特にカメラ本体２００内の圧縮伸張処理部２０８の圧縮処理部に関して示している。尚、図７に示す第２実施形態において、図４に示した第１実施形態と共通する部分には同一の符号を付し、その詳細な説明は省略する。
【０１３４】
図７に示す圧縮処理部２０８−２は、主として静止画抽出用の動画のシーンを判別するシーン判別部を有する点で、図４に示した第１実施形態の圧縮処理部２０８−１と相違する。
【０１３５】
シーン判別部は、風景、夜景、夕焼け、マクロ、人物、動体、スポーツなどの撮影シーンを選択するシーン選択部３７０からのシーン情報に基づいて撮影シーンを判別する部分であり、ビットレート制御部３４０がシーン判別部として機能するものでもよいし、ビットレート制御部３４０とは独立したシーン判別部を備えていてもよい。また、シーン判別部は、ライブビュー画像を解析し、その解析結果に基づいて自動的に撮影シーンを判別するものでもよい。
【０１３６】
ビットレート制御部３４０は、静止画抽出用の第２動画撮影モードに設定されている場合、シーン判別部に判別された動画の撮影シーンを示すシーン情報に応じて、選択可能なＱＰ値の範囲（第２範囲）を設定する。例えば、シーン情報に応じて、シーン情報とMin.2及びMax.2との関係が記録されているテーブルから、シーン情報に対応して記録されたMin.2及びMax.2を読み出すことで、Min.2とMax.2とにより規定されるＱＰ値の第２範囲を設定することができる。
【０１３７】
尚、動画の撮影シーンに応じて設定されるMin.2は、通常の動画のＱＰ値のMin.1よりも大きく、Max.2は通常の動画のＱＰ値のMax.1よりも小さいことは言うまでもない。また、ビットレート制御部３４０は、通常の動画用の第１動画撮影モードに設定されている場合、シーン判別部に判別された動画の撮影シーンを示すシーン情報に応じて、選択可能なＱＰ値の範囲（第１範囲）を設定してもよい。
【０１３８】
シーン判別とそのシーン判別結果により設定されるＱＰ値の範囲としては、例えば、風や動体の有無等の撮影シーンを動画から判別し、その判別結果から「瞬間的に変化するシーン」かどうかを判定してＱＰ値の範囲を決めてもよい。また、静止画抽出用の第２動画撮影モードとして、更に「瞬間変化切り出しモード」と「通常の切り出しモード（瞬間変化切り出しモード以外のモード）」とを設け、ユーザーが「瞬間変化切り出しモード」を選択した場合は、「通常の切り出しモード」よりもＱＰ値の範囲（第２範囲）を狭くしてもよい。
【０１３９】
また、第２動画撮影モードではフレームレートに応じてフレームレート応じてＱＰ値の第２範囲をシフト(フレームレートが高くなるとＱＰ値を高い方へシフトさせる)させてもよい。
【０１４０】
次の［表１］に、ＱＰ値の下限値及び上限値の一例を示す。
【０１４１】
【表１】
0006941744.tif 000002
【０１４２】
［シーン判別について］
急激にシーンが変わる場面としては、例えば、雷撮影が考えられる。
【０１４３】
同じ構図のフレームの動画が続く場合、同じ構図のフレームにおいてＱＰ値が徐々に下がり、画像の圧縮率が下がる。この場合に急激に画面が変化すると、圧縮率が出来ずＱＰ値が大きくなってしまう懸念がある。
【０１４４】
そこで、静止画抽出用の第２動画撮影モードとして、「瞬間変化切り出しモード」を設け、「通常の切り出しモード」に比べて更にＱＰ値の幅を狭くすることが好ましい。
【０１４５】
［フレームレートについて］
フレームレートが３０fpsから60fpsに変化する場合、データ量が単純に２倍になる。
【０１４６】
フレームレートが上がる場合は、それに応じてＱＰ値の範囲をシフト(下限値も上限値も上げる。) させることが好ましい。これにより、３０fpsと６０fpsの圧縮後のビットレートが同じようにでき、フレームレートが３０fpsから６０fpsになっても画質の劣化が抑制出来る。
【０１４７】
尚、［表１］に示したＱＰ値の上限値、下限値に限らず、第２動画撮影モードにおけるＱＰ値の第２範囲は、外部からの指示を入力する指示入力部からの入力に応じて適宜設定してもよい。
【０１４８】
［画像処理方法］
図８は、本発明に係る画像処理方法の実施形態を示すフローチャートである。以下、主として図４に示した圧縮処理部２０８−１の各部の処理動作について説明する。
【０１４９】
図８において、ビットレート制御部３４０は、撮影モード選択部３６０から入力する撮影モード指令により、通常の動画用の第１動画撮影モードが選択されているか、又は静止画抽出用の第２動画撮影モードが選択されているかを判別する（ステップＳ１０）。
【０１５０】
第１動画撮影モードが選択されている場合には、通常の動画用の量子化パラメータ（ＱＰ値）の第１範囲（第１下限値Min.1、第１上限値Max.1）を設定し（ステップＳ１２）、第２動画撮影モードが選択されている場合には、静止画抽出用のＱＰ値の第２範囲（第２下限値Min.2、第２上限値Max.2）を設定する（ステップＳ１３）。尚、Min.2は、Min.1よりも大きい値であり、Max.2は、Max.1よりも小さい値である。また、ステップＳ１４は、シーン判別部により静止画抽出用の動画のシーンを判別するステップを含み、判別されたシーンに応じて第２範囲を設定してもよい。
【０１５１】
続いて、撮影装置１０の本体側ＣＰＵ２２０は、操作部２２２（シャッタレリーズスイッチ２２）からの入力信号により動画撮影が開始したか否かを判別する（ステップＳ１４）。
【０１５２】
ステップＳ１４により動画撮影が開始されたと判別されると、本体側ＣＰＵ２２０は、動画撮影部により第１動画撮影モード又は第２動画撮影モードによる動画撮影を行わせる
（ステップＳ１５、動画取得ステップ）。
【０１５３】
続いて、動画撮像部により撮影される動画に対して、ＭＰＥＧ符号化方式の一つであるＨ．２６４／ＡＶＣ方式により１ＧＯＰの単位で、撮影された動画の圧縮等を行う（圧縮処理ステップ）。
【０１５４】
即ち、圧縮処理部２０８−１の動画取得部３０２は、動画撮影が開始されると、通常の動画又は静止画抽出用の動画の各フレーム（１ＧＯＰを構成するＩフレーム、Ｐフレーム、及びＢフレーム）を順次取得する（ステップＳ１６）。
【０１５５】
各フレームは、８×８画素の単位ブロック毎に圧縮処理が行われる。直交変換器３１０は、単位ブロックのデータを離散コサイン変換（ＤＣＴ）し、直交変換係数を算出する（ステップＳ１８）。
【０１５６】
ＶＢＶバッファとしての機能を有するビットレート制御部３４０は、符号化部３３０から出力される符号化データ（動画の過去のフレームの画像データの量子化後の発生符号量）を、例えばマクロブロック単位で取得する（ステップＳ２０）。ビットレート制御部３４０は、取得した発生符号量と予め設定されたビットストリームのビットレートとからＶＢＶバッファ占有量を算出し、ＶＢＶバッファが破綻しない量子化パラメータ（ＱＰ値）を決定する（ステップＳ２２）。
【０１５７】
ここで、ステップＳ２２におけるＱＰ値の決定は、現在圧縮処理している動画が、通常の動画の場合には、ステップＳ１２で設定された第１範囲（第１下限値Min.1、第１上限値Max.1）内でＱＰ値を決定し、静止画抽出用の動画の場合には、ステップＳ１３で設定された第２範囲（第２下限値Min.2、第２上限値Max.2）内でＱＰ値を決定する。
【０１５８】
量子化部３２０は、直交変換器３１０から入力する直交変換係数を、ビットレート制御部３４０により決定されたＱＰ値に対応する量子化ステップサイズ（Ｑｓｔｅｐ）で除算して整数に丸めた量子化値を算出する（ステップＳ２４）。
【０１５９】
ステップＳ１２で設定された第１範囲内でＱＰ値を決定し、動画のフレームを単位ブロック毎に量子化して圧縮するステップＳ１８〜ステップＳ２４は、通常の動画を圧縮する第１圧縮ステップに対応し、ステップＳ１３で設定された第２範囲内でＱＰ値を決定し、動画のフレームを単位ブロック毎に量子化して圧縮するステップＳ１８〜ステップＳ２４は、静止画抽出用の動画を圧縮する第２圧縮ステップに対応する。
【０１６０】
量子化部３２０により算出された量子化値は、符号化部３３０によりエントロピー符号化され、ビットストリームとしてメディア制御部２１０（図３）に出力され、メディア制御部２１０により通常の動画又は静止画抽出用の動画としてメモリカード２１２に記録される（ステップＳ２６）。
【０１６１】
続いて、撮影装置１０の本体側ＣＰＵ２２０は、操作部２２２からの入力信号により動画撮影が終了したか否かを判別する（ステップＳ２８）。動画撮影が終了していないと判別されると（「No」の場合）、ステップＳ１５に遷移させる。これにより、動画の撮影、圧縮処理及び記録処理等が継続して行われる。動画撮影が終了したと判別されると（「Yes」の場合）、本画像処理を終了させる。
【０１６２】
本実施形態の撮影装置１０は、ミラーレスのデジタル一眼カメラであるが、これに限らず、一眼レフカメラ、レンズ一体型の撮影装置、デジタルビデオカメラ等でもよく、また、撮影機能に加えて撮影以外の他の機能（通話機能、通信機能、その他のコンピュータ機能）を備えるモバイル機器に対しても適用可能である。本発明を適用可能な他の態様としては、例えば、カメラ機能を有する携帯電話機やスマートフォン、ＰＤＡ（Personal Digital Assistants）、携帯型ゲーム機が挙げられる。以下、本発明を適用可能なスマートフォンの一例について説明する。
【０１６３】
＜スマートフォンの構成＞
図９は、本発明の撮影装置の一実施形態であるスマートフォン５００の外観を示すものである。図９に示すスマートフォン５００は、平板状の筐体５０２を有し、筐体５０２の一方の面に表示部としての表示パネル５２１と、入力部としての操作パネル５２２とが一体となった表示入力部５２０を備えている。また、係る筐体５０２は、スピーカ５３１と、マイクロホン５３２、操作部５４０と、カメラ部５４１とを備えている。尚、筐体５０２の構成はこれに限定されず、例えば、表示部と入力部とが独立した構成を採用したり、折り畳み構造やスライド機構を有する構成を採用することもできる。
【０１６４】
図１０は、図９に示すスマートフォン５００の構成を示すブロック図である。図１０に示すように、スマートフォンの主たる構成要素として、基地局と移動通信網とを介した移動無線通信を行う無線通信部５１０と、表示入力部５２０と、通話部５３０と、操作部５４０と、カメラ部５４１と、記録部５５０と、外部入出力部５６０と、ＧＰＳ（Global Positioning System）受信部５７０と、モーションセンサ部５８０と、電源部５９０と、主制御部５０１とを備える。
【０１６５】
無線通信部５１０は、主制御部５０１の指示にしたがって、移動通信網に収容された基地局に対し無線通信を行うものである。この無線通信を使用して、音声データ、画像データ等の各種ファイルデータ、電子メールデータなどの送受信、Ｗｅｂデータ及びストリーミングデータなどの受信を行う。
【０１６６】
表示入力部５２０は、主制御部５０１の制御により、画像（静止画像及び動画像）や文字情報などを表示して視覚的にユーザに情報を伝達し、表示した情報に対するユーザ操作を検出する、いわゆるタッチパネルであって、表示パネル５２１と、操作パネル５２２とを備える。
【０１６７】
表示パネル５２１は、ＬＣＤ（Liquid Crystal Display）、ＯＥＬＤ（Organic Electro-Luminescence Display）などを表示デバイスとして用いたものである。操作パネル５２２は、表示パネル５２１の表示面上に表示される画像を視認可能に載置され、ユーザの指や尖筆によって操作される一又は複数の座標を検出するデバイスである。かかるデバイスをユーザの指や尖筆によって操作すると、操作に起因して発生する検出信号を主制御部５０１に出力する。次いで、主制御部５０１は、受信した検出信号に基づいて、表示パネル５２１上の操作位置（座標）を検出する。
【０１６８】
図９に示すように、本発明の撮影装置の一実施形態として例示しているスマートフォン５００の表示パネル５２１と操作パネル５２２とは一体となって表示入力部５２０を構成しているが、操作パネル５２２が表示パネル５２１を完全に覆うような配置となっている。かかる配置を採用した場合、操作パネル５２２は、表示パネル５２１外の領域についても、ユーザ操作を検出する機能を備えてもよい。換言すると、操作パネル５２２は、表示パネル５２１に重なる重畳部分についての検出領域（以下、表示領域と称する）と、それ以外の表示パネル５２１に重ならない外縁部分についての検出領域（以下、非表示領域と称する）とを備えていてもよい。
【０１６９】
尚、表示領域の大きさと表示パネル５２１の大きさとを完全に一致させても良いが、両者を必ずしも一致させる必要は無い。また、操作パネル５２２が、外縁部分と、それ以外の内側部分の２つの感応領域を備えていてもよい。さらに、外縁部分の幅は、筐体５０２の大きさなどに応じて適宜設計されるものである。また、操作パネル５２２で採用される位置検出方式としては、マトリクススイッチ方式、抵抗膜方式、表面弾性波方式、赤外線式、電磁誘導方式、静電容量方式などが挙げられ、いずれの方式を採用することもできる。
【０１７０】
通話部５３０は、スピーカ５３１やマイクロホン５３２を備え、マイクロホン５３２を通じて入力されたユーザの音声を主制御部５０１にて処理可能な音声データに変換して主制御部５０１に出力したり、無線通信部５１０あるいは外部入出力部５６０により受信された音声データを復号してスピーカ５３１から出力するものである。また、図９に示すように、例えば、スピーカ５３１、マイクロホン５３２を表示入力部５２０が設けられた面と同じ面に搭載することができる。
【０１７１】
操作部５４０は、キースイッチなどを用いたハードウェアキーであって、ユーザからの指示を受け付けるものである。例えば、図９に示すように、操作部５４０は、スマートフォン５００の筐体５０２の側面に搭載され、指などで押下されるとオンとなり、指を離すとバネなどの復元力によってオフ状態となる押しボタン式のスイッチである。
【０１７２】
記録部５５０は、主制御部５０１の制御プログラム、制御データ、アプリケーションソフトウェア（本発明に係る画像処理プログラムを含む）、通信相手の名称及び電話番号などを対応づけたアドレスデータ、送受信した電子メールのデータ、ＷｅｂブラウジングによりダウンロードしたＷｅｂデータ、及びダウンロードしたコンテンツデータを記憶し、またストリーミングデータなどを一時的に記憶するものである。また、記録部５５０は、スマートフォン内蔵の内部記憶部５５１と着脱自在な外部メモリスロットを有する外部記憶部５６２により構成される。尚、記録部５５０を構成するそれぞれの内部記憶部５５１と外部記憶部５５２は、フラッシュメモリタイプ（flash memory type）、ハードディスクタイプ（hard disk type）、マルチメディアカードマイクロタイプ（multimedia card micro type）、カードタイプのメモリ（例えば、Micro SD（登録商標）メモリ等）、ＲＡＭ（Random Access Memory）、ＲＯＭ（Read Only Memory）などの記録媒体を用いて実現される。
【０１７３】
外部入出力部５６０は、スマートフォン５００に連結される全ての外部機器とのインターフェースの役割を果たすものであり、他の外部機器に通信等（例えば、ユニバーサルシリアルバス（ＵＳＢ）、及びＩＥＥＥ１３９４など）又はネットワーク（例えば、インターネット、無線ＬＡＮ（Local Area Network）、ブルートゥース（Bluetooth）（登録商標）、ＲＦＩＤ（Radio Frequency Identification）、赤外線通信（Infrared Data Association：ＩｒＤＡ）（登録商標）、ＵＷＢ（Ultra Wideband）（登録商標）、ジグビー（ZigBee）（登録商標）など）により直接的又は間接的に接続するためのものである。
【０１７４】
スマートフォン５００に連結される外部機器としては、例えば、有／無線ヘッドセット、有／無線外部充電器、有／無線データポート、カードソケットを介して接続されるメモリカード（Memory card）、ＳＩＭ（Subscriber Identity Module Card）／ＵＩＭ（User Identity Module Card）カード、又はオーディオ・ビデオＩ／Ｏ（Input/Output）端子を介して接続される外部オーディオビデオ機器、無線接続される外部オーディオビデオ機器、有／無線接続されるスマートフォン、有／無線接続されるパーソナルコンピュータ、有／無線接続されるＰＤＡ、及びイヤホンなどがある。外部入出力部は、このような外部機器から伝送を受けたデータをスマートフォン５００の内部の各構成要素に伝達し、又はスマートフォン５００の内部のデータを外部機器に伝送することが可能である。
【０１７５】
ＧＰＳ受信部５７０は、主制御部５０１の指示にしたがって、ＧＰＳ衛星ＳＴ１〜ＳＴｎから送信されるＧＰＳ信号を受信し、受信した複数のＧＰＳ信号に基づく測位演算処理を実行し、スマートフォン５００の緯度、経度、及び高度からなる位置を検出する。ＧＰＳ受信部５７０は、無線通信部５１０や外部入出力部５６０（例えば、無線ＬＡＮ）から位置情報を取得できる時には、その位置情報を用いて位置を検出することもできる。
【０１７６】
モーションセンサ部５８０は、例えば、３軸の加速度センサ及びジャイロセンサなどを備え、主制御部５０１の指示にしたがって、スマートフォン５００の物理的な動きを検出する。スマートフォン５００の物理的な動きを検出することにより、スマートフォン５００の動く方向や加速度が検出される。この検出結果は、主制御部５０１に出力されるものである。
【０１７７】
電源部５９０は、主制御部５０１の指示にしたがって、スマートフォン５００の各部に、バッテリ（図示しない）に蓄えられる電力を供給するものである。
【０１７８】
主制御部５０１は、マイクロプロセッサを備え、記録部５５０が記憶する制御プログラム及び制御データにしたがって動作し、スマートフォン５００の各部を統括して制御するものである。また、主制御部５０１は、無線通信部５１０を通じて、音声通信やデータ通信を行うために、通信系の各部を制御する移動通信制御機能及びアプリケーション処理機能を備える。
【０１７９】
アプリケーション処理機能は、記録部５５０が記憶するアプリケーションソフトウェアにしたがって主制御部５０１が動作することにより実現するものである。アプリケーション処理機能としては、例えば、外部入出力部５６０を制御して対向機器とデータ通信を行う赤外線通信機能や、電子メールの送受信を行う電子メール機能、Ｗｅｂページを閲覧するＷｅｂブラウジング機能、本発明に係る圧縮処理を行う画像処理機能などがある。
【０１８０】
また、主制御部５０１は、受信データやダウンロードしたストリーミングデータなどの画像データ（静止画や動画のデータ）に基づいて、映像を表示入力部５２０に表示する等の画像処理機能を備える。画像処理機能とは、主制御部５０１が、上記画像データを復号し、係る復号結果に画像処理を施して、画像を表示入力部５２０に表示する機能のことをいう。
【０１８１】
更に、主制御部５０１は、表示パネル５２１に対する表示制御と、操作部５４０、操作パネル５２２を通じたユーザ操作を検出する操作検出制御を実行する。
【０１８２】
表示制御の実行により、主制御部５０１は、アプリケーションソフトウェアを起動するためのアイコン及びスクロールバーなどのソフトウェアキーを表示したり、或いは電子メールを作成するためのウィンドウを表示する。尚、スクロールバーとは、表示パネル５２１の表示領域に収まりきれない大きな画像などについて、画像の表示部分を移動する指示を受け付けるためのソフトウェアキーのことをいう。
【０１８３】
また、操作検出制御の実行により、主制御部５０１は、操作部５４０を通じたユーザ操作を検出したり、操作パネル５２２を通じてアイコンに対する操作、及びウィンドウの入力欄に対する文字列の入力を受け付け、或いはスクロールバーを通じた表示画像のスクロール要求を受け付ける。
【０１８４】
更に、操作検出制御の実行により主制御部５０１は、操作パネル５２２に対する操作位置が、表示パネル５２１に重なる重畳部分（表示領域）か、それ以外の表示パネル５２１に重ならない外縁部分（非表示領域）かを判定し、操作パネル５２２の感応領域及びソフトウェアキーの表示位置を制御するタッチパネル制御機能を備える。
【０１８５】
また、主制御部５０１は、操作パネル５２２に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、或いはこれらを組合せて、複数の位置から少なくとも１つについて軌跡を描く操作を意味する。
【０１８６】
カメラ部５４１は、ＣＭＯＳ（Complementary Metal Oxide Semiconductor）やＣＣＤ（Charge-Coupled Device）などの撮像素子を用いて電子撮影するデジタルカメラであり、図１に示した撮影装置１０に相当する。また、カメラ部５４１は、主制御部５０１の制御により、撮影によって得た静止画の画像データを、例えばＪＰＥＧ（Joint Photographic coding Experts Group）で圧縮し、又は動画の画像データを、例えばＨ．２６４／ＡＶＣで圧縮して記録部５５０に記録したり、外部入出力部５６０や無線通信部５１０を通じて出力することができる。図９に示すようにスマートフォン５００において、カメラ部５４１は表示入力部５２０と同じ面に搭載されているが、カメラ部５４１の搭載位置はこれに限らず、表示入力部５２０の背面に搭載されてもよいし、或いは、複数のカメラ部５４１が搭載されてもよい。尚、複数のカメラ部５４１が搭載されている場合、撮影に供するカメラ部５４１を切り替えて単独にて撮影したり、或いは、複数のカメラ部５４１を同時に使用して撮影することもできる。
【０１８７】
また、カメラ部５４１はスマートフォン５００の各種機能に利用することができる。例えば、表示パネル５２１にカメラ部５４１で取得した画像を表示することや、操作パネル５２２の操作入力のひとつとして、カメラ部５４１の画像を利用することができる。また、ＧＰＳ受信部５７０が位置を検出する際に、カメラ部５４１からの画像を参照して位置を検出することもできる。さらには、カメラ部５４１からの画像を参照して、３軸の加速度センサを用いずに、或いは、３軸の加速度センサ（ジャイロセンサ）と併用して、スマートフォン５００のカメラ部５４１の光軸方向を判断することや、現在の使用環境を判断することもできる。勿論、カメラ部５４１からの画像をアプリケーションソフトウェア内で利用することもできる。
【０１８８】
その他、静止画又は動画の画像データにＧＰＳ受信部５７０により取得した位置情報、マイクロホン５３２により取得した音声情報（主制御部等により、音声テキスト変換を行ってテキスト情報となっていてもよい）、モーションセンサ部５８０により取得した姿勢情報等などを付加して記録部５５０に記録したり、外部入出力部５６０や無線通信部５１０を通じて出力することもできる。
【０１８９】
［その他］
本実施形態では、Ｈ．２６４／ＡＶＣの符号化方式を例に説明したが、これに限らず、ＭＰＥＧ−２、ＭＰＥＧ−４等の他の符号化方式で圧縮する場合にも適用できる。例えば、ＭＰＥＧ-２では、ＱＰ値は、１〜３１の範囲に規定されている。したがって、通常の動画と静止画抽出用の動画とで異なるＱＰ値の範囲（下限値と上限値）を設定する場合、符号化方式に応じて設定する必要がある。
【０１９０】
本発明に係る撮影装置の圧縮伸張処理部２０８における各種の処理を実行する処理部（processing unit）のハードウェア的な構造は、次に示すような各種のプロセッサ（processor）である。各種のプロセッサには、ソフトウェア（プログラム）を実行して各種の処理部として機能する汎用的なプロセッサであるＣＰＵ（Central Processing Unit）、ＦＰＧＡ（Field Programmable Gate Array）などの製造後に回路構成を変更可能なプロセッサであるプログラマブルロジックデバイス（Programmable Logic Device：ＰＬＤ）、ＡＳＩＣ（Application Specific Integrated Circuit）などの特定の処理を実行させるために専用に設計された回路構成を有するプロセッサである専用電気回路などが含まれる。
【０１９１】
１つの処理部は、これら各種のプロセッサのうちの１つで構成されていてもよいし、同種または異種の２つ以上のプロセッサ（例えば、複数のＦＰＧＡ、あるいはＣＰＵとＦＰＧＡの組み合わせ）で構成されてもよい。また、複数の処理部を１つのプロセッサで構成してもよい。複数の処理部を１つのプロセッサで構成する例としては、第１に、クライアントやサーバなどのコンピュータに代表されるように、１つ以上のＣＰＵとソフトウェアの組合せで１つのプロセッサを構成し、このプロセッサが複数の処理部として機能する形態がある。第２に、システムオンチップ（System On Chip：ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上用いて構成される。
【０１９２】
更に、これらの各種のプロセッサのハードウェア的な構造は、より具体的には、半導体素子などの回路素子を組み合わせた電気回路（circuitry）である。
【０１９３】
更にまた、本発明は、撮影装置にインストールされることにより、本発明に係る撮影装置として機能させる画像処理プログラム、及びこの画像処理プログラムが記録された記録媒体を含む。
【０１９４】
また、本発明は上述した実施形態に限定されず、本発明の精神を逸脱しない範囲で種々の変形が可能であることは言うまでもない。
【符号の説明】
【０１９５】
１０  撮影装置
２０  ファインダ窓
２２  シャッタレリーズスイッチ
２３  シャッタスピードダイヤル
２４  露出補正ダイヤル
２５  電源レバー
２６  接眼部
２７  ＭＥＮＵ／ＯＫキー
２８  十字キー
２９  再生ボタン
３０  内蔵フラッシュ
１００  交換レンズ
１０２  撮影光学系
１０４  レンズ群
１０８  絞り
１１６  フォーカスレンズ制御部
１１８  絞り制御部
１２０  レンズ側ＣＰＵ
１２２  ＲＡＭ
１２４  ＲＯＭ
１２６  フラッシュＲＯＭ
１５０  レンズ側通信部
１６０  レンズマウント
２００  カメラ本体
２０１  イメージセンサ
２０２  イメージセンサ制御部
２０３  アナログ信号処理部
２０４  Ａ／Ｄ変換器
２０５  画像入力コントローラ
２０６  デジタル信号処理部
２０７  ＲＡＭ
２０８  圧縮伸張処理部
２０８−１、２０８−２  圧縮処理部
２１０  メディア制御部
２１２  メモリカード
２１４  表示制御部
２１６  液晶モニタ
２２０  本体側ＣＰＵ
２２２  操作部
２２４  時計部
２２６  フラッシュＲＯＭ
２２８  ＲＯＭ
２３０  ＡＦ制御部
２３２  ＡＥ制御部
２３４  ホワイトバランス補正部
２３６  無線通信部
２３８  ＧＰＳ受信部
２４０  電源制御部
２４２  バッテリ
２４４  レンズ電源スイッチ
２５０  本体側通信部
２６０  本体マウント
２６０Ａ  端子
２７０  フラッシュ発光部
２７２  フラッシュ制御部
２９６  ＦＰＳ制御部
３００  動画
３０２  動画取得部
３１０  直交変換器
３２０  量子化部
３３０  符号化部
３４０  ビットレート制御部
３５０  圧縮データ
３６０  撮影モード選択部
３７０  シーン選択部
５００  スマートフォン
５０１  主制御部
５０２  筐体
５１０  無線通信部
５２０  表示入力部
５２１  表示パネル
５２２  操作パネル
５３０  通話部
５３１  スピーカ
５３２  マイクロホン
５４０  操作部
５４１  カメラ部
５５０  記録部
５５１  内部記憶部
５５２  外部記憶部
５６０  外部入出力部
５６２  外部記憶部
５７０  ＧＰＳ受信部
５７０  受信部
５８０  モーションセンサ部
５９０  電源部
Max.1  第１上限値
Max.2  第２上限値
Min.1  第１下限値
Min.2  第２下限値
Ｓ１０〜Ｓ２８  ステップ
【図１】
0006941744.tif 000003
【図２】
0006941744.tif 000004
【図３】
0006941744.tif 000005
【図４】
0006941744.tif 000006
【図５】
0006941744.tif 000007
【図６】
0006941744.tif 000008
【図７】
0006941744.tif 000009
【図８】
0006941744.tif 000010
【図９】
0006941744.tif 000011
【図１０】
0006941744.tif 000012